(57)【要約】      （修正有）【課題】髪の根元には大きなウェーブを掛け、先端には小さなカールを形成可能なパーマネントロッド補助器具を提供する。【解決手段】毛髪の先から所定の位置までの間をメッシュペーパーと共に巻きつけるシングルロッドと毛先を巻かれたシングルロッドの上に覆う形で根元まで巻き込む内部が円筒状のダブルロッドからなり、ダブルロッドは毛髪の毛束を出すためのスリットが設けられていて、スリットの中間部分から円周方向に向って爪が形成され、円筒状部にはパーマ液を効率よく塗布するためのスリットを設ける。【選択図】図１
0003173676.tif 000002
【実用新案登録請求の範囲】
【請求項１】
毛髪の先から所定の位置までの間をメッシュペーパーと共に巻きつけるシングルロッド（通常のパーマネントロッド）と前記毛先を巻かれたシングルロッドの上に覆う形で根元まで巻き込む内部が円筒状のダブルロッドからなり前記ダブルロッドは毛髪の毛束を出すためのスリットが設けられていてスリットの中間部分から円周方向に向って爪が形成されるとともに前記円筒状部にはパーマ液を効率よく塗布するためのスリットが設けられていることを特徴とするパーマネント補助器具
【請求項２】
前記毛髪を通すためのスリットはダブルロッドの一端部から多端部の近傍まで設けられたことを特徴とする請求項１記載のパーマネント補助器具
【請求項３】
前記毛髪を通すためのスリットはダブルロッドの円周上の全幅に渡って設けられたことを特徴とする請求項１記載のパーマネント補助器具
【請求項４】
前記毛髪を通すためのスリットはダブルロッドの両端部を残して設けられ当該スリットの両端部を基点としてダブルロッド自体を開閉することができることを特徴とする請求項１記載のパーマネント補助器具
【考案の詳細な説明】
【技術分野】
【０００１】理美容室におけるパーマネントロッド補助器具
【背景技術】
【０００２】通常パーマネントウェーブロッドの形状では均一なウェーブ形状しかできず根元に大きなウェーブを求め同時に毛先にしっかりした小さめのカールを求めても構造上に無理があった【０００３】小さいロッドと加工された大きいロッドを組み合わせて施された（例えば、特許文献１，２参照）ものもあるこれらは構造上に無理があり薬剤の塗布がしづらく薬剤が不安定な酸化還元となる問題があった【０００４】上記の例のパーマネント施術の場合毛髪を巻いた小さいロッドと大きいロッドとの挿入設置面に毛髪が折れたり切れたりする傾向がありこれを回避するためにピンを打つ必要があった
【先行技術文献】
【特許文献】
【０００４】
【特許文献１】特会平成  １０−４２９３１号公報
【特許文献２】特開  ２００５−１０３２２７号公報
【考案の概要】
【考案が解決しようとする課題】
【０００５】本考案は以上のような欠点に鑑みてされたものであり髪の根元には大きなウェーブを掛けて  髪の先端には小さなしっかりとしたカールを形成可能にすること【０００６】薬剤の浸透を安定的にかつ酸化還元を完全に行うこと【０００７】毛髪の折れや断毛にならないようにすることを可能としたパーマネント補助器具を提供することを目的とする
【課題を解決するための手段】
【０００８】上記の課題を解決するための請求項１記載の考案はウェーブ形成方法において毛髪の毛先を所定の位置までメッシュペーパーと共に巻きつけるシングルロッドと、前記毛先を巻かれたシングルロッドの上に覆う形で根元まで巻き込む内部が空洞の円筒状のダブルロッドからなり、前記ダブルロッドは毛髪の毛束を出すためのスリットが設けられていてスリットの中間部分から円周方向に向って爪が形成されると共に前記円筒状部には複数のパーマ液を効率よく塗布するためのスリットが設けられることで解決できました【０００９】上記の課題を解決するための請求項２記載の考案は前記毛髪を通すためのスリットはダブルロッドの一端部から多端部の近傍まで設けられたことを特徴とすることで解決できました【００１０】上記の課題を解決するための請求項３記載の考案は前記毛髪を通すためのスリットはダブルロッドの円筒状の全幅に渡って設けられたことを特徴とすることで解決できました【００１１】上記の課題を解決するための請求項４記載の考案は前記毛髪を通すためのスリットはダブルロッドの両端部を残して設けられ当該スリットの両端部を基点としダブルロッド自体を開閉することができることで解決できました
【考案の効果】
【００１２】ダブルロッドの中空部に収められたシングルロッドのゴムをダブルロッドの爪に掛けることで折れや断毛が起きないように解決した【００１３】ダブルロッドの円筒状部に複数の薬剤塗布用のスリットを設けることで薬剤が安定的に酸化還元できるように解決した【００１４】ダブルロッドをシングルロッドと同円方向に根元まで巻き込むことで大小のウェーブ形成ができるように解決した
【図面の簡単な説明】
【００１５】
【図１】本考案の補助器具（以下、ダブルロッドと称す）の片側スリットタイプ
【図２】ダブルロッドの両側スリットタイプ
【図３ａ】ダブルロッドの上下開閉によりスリットをもたせたタイプの閉状態
【図３ｂ】ダブルロッドの上下開閉によりスリットをもたせたタイプの開状態
【図４】小さめの通常のパーマネントロッド（以下、シングルロッドと称す）が巻かれた状態
【図５】小さめのシングルロッドを本考案の補助器具（以下、ダブルロッドと称す）に挿入する状態
【図６】中空部に収められた小さめのシングルロッドのゴム（二重掛けの）をダブルロッドの爪に掛けた状態
【図７】根元まで巻き込まれゴムとピンが打たれた状態
【考案を実施するための形態】
【実施例１】
【００１６】請求項１を実施したときの具体例、実施の形態に係るシングルロッドは図４をもって説明する  毛先を巻く通常のパーマネントロッドでありダブルロッドの中空部に収まるようにダブルロッドより１０ｍｍから１５ｍｍ径の小さいものを使用する【００１７】実施の形態に係るダブルロッドは図１をもって説明する  シングルロッドの径より１０ｍｍから１５ｍｍ大きく片サイドから上下幅１０ｍｍ程度  横幅７０ｍｍ程度のスリットがありシングルロッドのゴムを掛ける爪が二箇所ある【００１８】第一の例の髪の形成方法において図４を使って説明する  通常のパーマネントウェーブの巻き方法でシングルロッドとメッシュタイプのペーパーを使って髪の毛の毛先を巻きます【００１９】上記の例１の髪の形成方法において図４を使って説明する  シングルロッドを巻く場合毛先１回転半から１回転と４分の３回転まで巻き込みますこの時ゴム掛けは二重掛けにします【００２０】上記の例１の髪の形成方法において図５、６を使って説明する  シングルロッドをダブルロッドの中空部にスライド挿入しますこの時中空部に収められたシングルロッドの二重掛けされたゴムの一本をダブルロッドの爪に掛けます【００２１】上記の例１の髪の形成方法において図７を使って説明する  シングルロッドの同円方向にダブルロッドを根元まで巻き込みゴムとピンを掛け薬剤塗布用のスリットより薬剤を塗布する  以上の実施により根元から大きなウェーブ毛先には小さなカールその二つの接合面に毛髪の折れや断毛もなく薬剤塗布用のスリットから薬剤塗布が可能になり安定的に酸化還元されたウェーブ形成をすることができた
【実施例２】
【００２２】請求項３記載のダブルロッドも実施例１同様の効果がありダブルロッドの上下幅１０ｍｍ程度  横幅全幅に渡って毛束を出すためのスリットを入れることにより両サイドからのシングルロッドの挿入が可能になるメリットがある
【実施例３】
【００２３】請求項４記載のダブルロッドも実施例１同様の効果がありダブルロッド自体の上下の開閉でシングルロッドを覆う形で両端部に残ったゴム掛けにゴムを容易に掛けることが出来るメリットがある
【符号の説明】
【００２４】Ａ１  ダブルロッド（考案の補助器具）
Ａ２  毛束を出すためのスリット
Ａ３  ダブルロッドの爪（ゴム掛け）
Ａ４  薬剤塗布用のスリット
Ａ５  ダブルロッドのゴム
Ａ６  ダブルロッドのピン
Ｂ１  シングルロッド（通常のパーマネントロッド）
Ｂ２  メッシュペーパー
Ｂ３  シングルロッドの二重掛けのゴム
Ｃ１  毛束
【図１】
0003173676.tif 000003
【図２】
0003173676.tif 000004
【図３ａ】
0003173676.tif 000005
【図３ｂ】
0003173676.tif 000006
【図４】
0003173676.tif 000007
【図５】
0003173676.tif 000008
【図６】
0003173676.tif 000009
【図７】
0003173676.tif 000010